(57)【要約】      （修正有）【課題】不特定多数の人が触ったスプレーのヘッド部分を触らずにスプレー可能であり、簡易な構成のスプレースタンドの提供。【解決手段】容器内の除菌液を噴霧又は噴射させるスプレースタンド１００であって、容器７００を載置し、組み立て及び畳むことが可能なスプレースタンド本体２００と、スプレースタンド本体２００の上部に配置され、上下移動可能であり、容器７００のヘッド部を押すための可動部材５００と、スプレースタンド本体２００の下部に配置され、利用者が足で踏むことが可能な足踏み部材３００と、可動部材５００と足踏み部材３００とを接続する紐部材６００とを含み、利用者が足踏み部材３００を踏むことにより、紐部材６００が下方に移動し、それによって可動部材５００が下方に移動し、容器７００のヘッド部が押されるスプレースタンド。【選択図】図１
2020182852.tif 000002
【特許請求の範囲】
【請求項１】
容器内の除菌液を噴霧又は噴射させるスプレースタンドであって、
前記容器を載置し、組み立て及び畳むことが可能なスプレースタンド本体と、
前記スプレースタンド本体の上部に配置され、上下移動可能であり、前記容器のヘッド部を押すための可動部材と、
前記スプレースタンド本体の下部に配置され、利用者が足で踏むことが可能な足踏み部材と、
前記可動部材と前記足踏み部材とを接続する紐部材と、を含み、
利用者が前記足踏み部材を踏むことにより、前記紐部材が下方に移動し、それによって前記可動部材が下方に移動し、前記容器の前記ヘッド部が押されるスプレースタンド。
【請求項２】
前記スプレースタンド本体は、
前記容器より後方に配置される後方側面部と、
前記容器より前方に配置される前方側面部と、
前記容器より左側に配置される第１側面部と、
前記容器より右側に配置される第２側面部と、
前記スプレースタンド本体の下方に配置される底面部と、を有し、
前記底面部が、
前記後方側面部の下部先端に接続される後方底面部と、
前記前方側面部の下部先端に接続される前方底面部と、
前記第１側面部の下部先端に接続される第１底面部と、
前記第２側面部の下部先端に接続される第２底面部と、を有し、
前記第１底面部及び前記第２底面部の表面に表側面ファスナーが取り付けられ、
前記後方底面部及び前記前方底面部の裏面に裏側面ファスナーが取り付けられ、
前記表側面ファスナーと前記裏側面ファスナーとを接続することにより、前記スプレースタンド本体が組み立てられる請求項１記載のスプレースタンド。
【請求項３】
前記スプレースタンド本体が、
前記後方側面部と前記第１側面部とから構成され、前記可動部材を挿入することができる第１可動部材摺動部と、
前記後方側面部と前記第２側面部とから構成され、前記可動部材を挿入することができる第２可動部材摺動部と、を有し、
前記可動部材が前記第１可動部材摺動部及び前記第２可動部材摺動部に沿って上下移動可能である請求項２記載のスプレースタンド。
【請求項４】
前記足踏み部材は、利用者が踏む部分である足踏み部と、前記スプレースタンド本体に接続する足踏み部材挿入部と、を有し、
前記第１底面部及び前記第２底面部と、前記後方底面部及び前記前方底面部との間に、前記足踏み部材挿入部が挿入される隙間が設けられる請求項２又は３に記載のスプレースタンド。
【請求項５】
容器内の除菌液を噴霧又は噴射させるスプレースタンドであって、
前記容器を載置し、組み立て及び畳むことが可能なスプレースタンド本体と、
前記スプレースタンド本体の上部に配置され、上下移動可能であり、前記容器のヘッド部を押すための可動部材と、
前記スプレースタンド本体を設置するためのスプレースタンド設置部材と、
前記スプレースタンド設置部材の中に配置され、前記スプレースタンド本体を載置するスプレースタンド補助部材と、
前記スプレースタンド設置部材の下部に配置され、利用者が足で踏むことが可能な足踏み部材と、
前記可動部材と前記足踏み部材とを接続する紐部材と、を含み、
利用者が前記足踏み部材を踏むことにより、前記紐部材が下方に移動し、それによって前記可動部材が下方に移動し、前記容器の前記ヘッド部が押されるスプレースタンド。
【請求項６】
除菌液が入れられている前記容器を固定するための固定部材が、前記紐部材に取り付け可能である請求項１乃至５のいずれか1項に記載のスプレースタンド。
【発明の詳細な説明】
【技術分野】
【０００１】
本発明は、足踏み式スプレースタンドに関する。
【背景技術】
【０００２】
近年、新型コロナウイルス感染症（ＣＯＶＩＤ−１９）の感染が大きな社会問題となっており、その予防策の一つとして、手指を除菌するための除菌液を噴霧又噴射する除菌スプレーが用いられている。
【０００３】
除菌スプレーは樹脂製ボトル内のエタノール等が含まれる除菌液を手動操作でスプレーする手動式のものが広く流通しており、会社、学校、病院、図書館、公民館等、不特定多数の人が利用する施設の入り口や洗面所等に設置されて、施設利用者が自由に使用できるようになっている。
【０００４】
しかしながら、手動式の場合、手に荷物を持っていると手動操作しにくいとか、片方の手でスプレーを操作するため除菌液を両手に同時にスプレーしにくいといった問題点がある。
【０００５】
また、現時点では、新型コロナウイルス感染症（ＣＯＶＩＤ−１９）の治療法が確立されていないため、除菌スプレーの利用者は、不特定多数の人が触ったスプレーのヘッド部分を触りたがらないことも多い。
【０００６】
特許文献１では、このような問題点を解消すべく、ペダルを足で踏むと除菌スプレーの ヘッド が押されてエタノール等の除菌液が噴霧されるようにした足踏み式噴霧装置が開示されている。
【０００７】
また、特許文献２では、足への負担が少なく、踏み易く、液体が大量に出過ぎない足踏み式噴霧装置が開示されている。
【先行技術文献】
【特許文献】
【０００８】
【特許文献１】特開２００８−２２９２９６号公報
【特許文献２】特開２０１１−１１０５４４号公報
【発明の概要】
【発明が解決しようとする課題】
【０００９】
新型コロナウイルス感染症（ＣＯＶＩＤ−１９）やインフルエンザ等の感染症を予防するために、手洗いや消毒は欠かすことができない。
【００１０】
そして、人々は、少なくとも新型コロナウイルス感染症（ＣＯＶＩＤ−１９）の治療薬やワクチンが出来るまでは、新型コロナウイルス感染症（ＣＯＶＩＤ−１９）に感染するリスクと共に日常生活をおくる必要がある。
【００１１】
そして、新型コロナウイルス感染症（ＣＯＶＩＤ−１９）の薬が出来た後であっても、今後、人々は新型コロナウイルス感染症（ＣＯＶＩＤ−１９）の感染を、可能な限り防止するため、東京オリンピック、Ｊリーグ、プロ野球等の様々なイベントにおいて、手等の除菌を行う必要がある。
【００１２】
しかしながら、特許文献１及び特許文献２に係る発明は、いずれも分解しにくい構造であり、持ち運びに不便であった。
【００１３】
また、イベントのない日等にスプレースタンドをしまっておく場所が必要であった。
【００１４】
本発明の目的は、簡易な構成のスプレースタンドを提供することである。
【００１５】
本発明の他の目的は、組み立て及び畳むことが容易なスプレースタンドを提供することである。
【課題を解決するための手段】
【００１６】
本発明の第１の局面に係る容器内の除菌液を噴霧又は噴射させるスプレースタンドであって、
前記容器を載置し、組み立て及び畳むことが可能なスプレースタンド本体と、
前記スプレースタンド本体の上部に配置され、上下移動可能であり、前記容器のヘッド部を押すための可動部材と、
前記スプレースタンド本体の下部に配置され、利用者が足で踏むことが可能な足踏み部材と、
前記可動部材と前記足踏み部材とを接続する紐部材と、を含み、
利用者が前記足踏み部材を踏むことにより、前記紐部材が下方に移動し、それによって前記可動部材が下方に移動し、前記容器の前記ヘッド部が押されるスプレースタンドである。
【００１７】
スプレースタンド本体は、組み立て及び畳むことができるため、スプレースタンドを使用しないときは、畳んでしまっておくことができる。
【００１８】
また、本発明によれば、簡単な構成であるため、プラスチック段ボールで製造することができる。
【００１９】
本発明の第２の局面に係るスプレースタンドは、第１の局面に係るスプレースタンドであって、
前記スプレースタンド本体は、
前記容器より後方に配置される後方側面部と、
前記容器より前方に配置される前方側面部と、
前記容器より左側に配置される第１側面部と、
前記容器より右側に配置される第２側面部と、
前記スプレースタンド本体の下方に配置される底面部と、を有し、
前記底面部が、
前記後方側面部の下部先端に接続される後方底面部と、
前記前方側面部の下部先端に接続される前方底面部と、
前記第１側面部の下部先端に接続される第１底面部と、
前記第２側面部の下部先端に接続される第２底面部と、を有し、
前記第１底面部及び前記第２底面部の表面に表側面ファスナーが取り付けられ、
前記後方底面部及び前記前方底面部の裏面に裏側面ファスナーが取り付けられ、
前記表側面ファスナーと前記裏側面ファスナーとを接続することにより、前記スプレースタンド本体が組み立てられるスプレースタンドである。
【００２０】
底面部の接続が面ファスナーであるため、簡単にスプレースタンドを組み立て及び畳むことができる。
【００２１】
本発明の第３の局面に係るスプレースタンドは、第２の局面に係るスプレースタンドであって、
前記スプレースタンド本体が、
前記後方側面部と前記第１側面部とから構成され、前記可動部材を挿入することができる第１可動部材摺動部と、
前記後方側面部と前記第２側面部とから構成され、前記可動部材を挿入することができる第２可動部材摺動部と、を有し、
前記可動部材が前記第１可動部材摺動部及び前記第２可動部材摺動部に沿って上下移動可能であるスプレースタンドである。
【００２２】
可動部材が第１可動部材摺動部及び第２可動部材摺動部に沿って上下移動可能であるため、可動部材によってスムーズに除菌液が含まれる容器のヘッド部が押される。
【００２３】
本発明の第４の局面に係るスプレースタンドは、第２の局面又は第３の局面に係るスプレースタンドであって、
前記足踏み部材は、利用者が踏む部分である足踏み部と、前記スプレースタンド本体に接続する足踏み部材挿入部と、を有し、
前記第１底面部及び前記第２底面部と、前記後方底面部及び前記前方底面部との間に、前記足踏み部材挿入部が挿入される隙間が設けられるスプレースタンドである。
【００２４】
第１底面部及び第２底面部と、後方底面部及び前方底面部との間に、足踏み部材挿入部が挿入される隙間が設けられていることから、接着剤や面ファスナー等の接合部材が不要であり、隙間に足踏み部材挿入部を挿入するだけで、簡単に足踏み部材をスプレースタンド本体に装着することができ、また、簡単に着脱することができる。
【００２５】
本発明の第５の局面に係るスプレースタンドは、容器内の除菌液を噴霧又は噴射させるスプレースタンドであって、
前記容器を載置し、組み立て及び畳むことが可能なスプレースタンド本体と、
前記スプレースタンド本体の上部に配置され、上下移動可能であり、前記容器のヘッド部を押すための可動部材と、
前記スプレースタンド本体を設置するためのスプレースタンド設置部材と、
前記スプレースタンド設置部材の中に配置され、前記スプレースタンド本体を載置するスプレースタンド補助部材と、
前記スプレースタンド設置部材の下部に配置され、利用者が足で踏むことが可能な足踏み部材と、
前記可動部材と前記足踏み部材とを接続する紐部材と、を含み、
利用者が前記足踏み部材を踏むことにより、前記紐部材が下方に移動し、それによって前記可動部材が下方に移動し、前記容器の前記ヘッド部が押されるスプレースタンドである。
【００２６】
この場合、スプレースタンド設置部材を紙の段ボールにすることができ、プラスチック段ボールと比べて容易に企業の広告等をスプレースタンド設置部材に表示することができる。
【００２７】
本発明の第６の局面に係るスプレースタンドは、第１の局面乃至第５の局面に係るスプレースタンドであって、
除菌液が入れられている前記容器を固定するための固定部材が、前記紐部材に取り付け可能であるスプレースタンドである。
【００２８】
これにより、除菌液が入れられている容器の位置がずれ難く、また、倒れ難いという効果を有する。
【００２９】
また、固定部材を紐部材に取付けることにより、除菌液が入れられている容器の盗難防止としての効果も有する。
【図面の簡単な説明】
【００３０】
【図１】本発明に係る一実施形態のスプレースタンドの斜視図。
【図２】同実施形態のスプレースタンドの正面図。
【図３】同実施形態のスプレースタンドの側面図。
【図４】同実施形態のスプレースタンド本体及び台部材の展開図。
【図５】同実施形態のスプレースタンドの底面図。
【図６】同実施形態のスプレースタンドの部分正面図。
【図７】同実施形態のスプレースタンドの足踏み部の展開図。
【図８】同実施形態のスプレースタンドの可動部材の平面図。
【図９】同実施形態のスプレースタンドの固定部材の平面図。
【図１０】同実施形態のスプレースタンド本体の折り畳んだ平面図。
【図１１】本発明に係る一実施形態のスプレースタンドの斜視図。
【図１２】本発明に係る一実施形態のスプレースタンドの斜視図。
【図１３】同実施形態の第２スプレースタンド本体の展開図。
【図１４】同実施形態のスプレースタンド補助部材の展開図。
【発明を実施するための形態】
【００３１】
以下、本発明の実施形態に関して図面を参照しながら説明する。
＜第１実施形態＞
図１乃至図３に示すように、本発明の第１実施形態に係るスプレースタンド１００は、
スプレースタンド本体２００と、
利用者が除菌液を噴霧又は噴射させるために、足で踏むことが可能な足踏み部材３００と、
除菌液の容器７００を配置するための台部材４００と、
除菌液の容器７００のヘッド部７１０を上方から押すための可動部材５００と、
足踏み部材３００と可動部材５００とを接続する紐部材６００と、
紐部材６００に取り付けて除菌液の容器７００を固定する固定部材７５０と、含む。
【００３２】
本実施形態において、スプレースタンド１００は、プラスチック段ボールで構成されている。これにより、除菌液等が付着したり、濡れたりしても問題なく使用できる。なお、スプレースタンド１００の材質は限定されない。
【００３３】
（スプレースタンド本体２００）
図４に示すように、スプレースタンド本体２００は、
ｚ軸負方向側に配置される底面部２１０と、
ｙ軸負方向側に配置される後方側面部２２０と、
後方側面部２２０よりｙ軸正方向側に配置される前方側面部２３０と、
ｘ軸負方向側に配置される第1側面部２４０と、
前方側面部２３０と後方側面部２２０との間に配置され、第１側面部２４０よりｘ軸正方向側に配置される第２側面部２５０と、
前方側面部２３０と後方側面部２２０との間に配置され、前方側面部２３０と第２側面部２５０とを接続させるための接続部２６０と、を含む。
【００３４】
底面部２１０は、後方側面部２２０の下部（ｚ軸負方向側）先端である後方先端２２１に接続される後方底面部２１１と、
前方側面部２３０の下部（ｚ軸負方向側）先端である前方先端２３１に接続される前方底面部２１２と、
第１側面部２４０の下部（ｚ軸負方向側）先端である第１先端２４１に接続される第１底面部２１３と、
第２側面部２５０の下部（ｚ軸負方向側）先端である第２先端２５１に接続される第２底面部２１４と、を含む。
【００３５】
図５は、スプレースタンド１００を底面側から見た平面図であり、第１底面部２１３及び第２底面部２１４を内側に折り込んだ図であり、前方底面部２１２及び後方底面部２１１は外側に開いた図である。
【００３６】
図５に示すように、スプレースタンド本体２００を組み立てる場合、まず第１底面部２１３及び第２底面部２１４を内側に折り込み、その後、後方底面部２１１及び前方底面部２１２を内側に折り込む。
【００３７】
第１底面部２１３及び第２底面部２１４の表面には接続部材である表側面ファスナー２７０が取り付けられている。
【００３８】
後方底面部２１１及び前方底面部２１２の裏面には接続部材である裏側面ファスナー２８０が取り付けられている。
【００３９】
表側面ファスナー２７０と裏側面ファスナー２８０とを接続することにより、スプレースタンド本体２００は組み立てられる。
【００４０】
表側面ファスナー２７０及び裏側面ファスナー２８０は、足踏み部材３００の隙間ｄへの挿入の邪魔にならない位置に配置されている。
【００４１】
つまり、図５に示すように、表側面ファスナー２７０及び裏側面ファスナー２８０は、左右両端（ｘ軸方向両端）に設けられており、足踏み部材３００を第１底面部２１３及び第２底面部２１４と、前方底面部２１２との間に挿入するのに邪魔にならない位置に配置されている。
【００４２】
第１底面部２１３及び第２底面部２１４と、前方底面部２１２及び後方底面部２１１とは、面ファスナーによって接続されており、着脱することができるため、スプレースタンド１００を使用しないときは、表側面ファスナー２７０と裏側面ファスナー２８０との接着を剥がして、スプレースタンド本体２００を平たく畳むことができる。
【００４３】
これにより、スプレースタンド１００の保存スペースの極小化を図ることができる。
【００４４】
後方側面部２２０は、利用者から見て奥側（ｙ軸負方向側）に配置される側面部であり、上部（ｚ軸正方向側）は、側面視略Ｈ形状である。
【００４５】
後方側面部２２０の下部先端である後方先端２２１には、後方底面部２１１が、後方先端２２１で折り曲げ可能に接続されている。
【００４６】
後方側面部２２０には、ｘ軸方向中央位置に、台部材４００の一部を挿入するための貫通孔である後方貫通孔２２２が設けられている。
【００４７】
後方側面部２２０の上部には、可動部材５００を挿入することが可能な第１可動部材摺動部２２３及び第２可動部材摺動部２２４が設けられている。
【００４８】
第１可動部材摺動部２２３は、第２可動部材摺動部２２４よりｘ軸負方向側である左側に配置されている。
【００４９】
後方側面部２２０には、スプレースタンド１００を組み立てるときに、作業者が、足踏み部材３００に紐部材６００を通したり、紐部材６００同士を結んだりするための扉部２２５が設けられている。
【００５０】
扉部２２５は、後方側面部２２０の後方先端２２１で接続されており、後方先端２２１を軸として開け閉めすることが可能である。
【００５１】
扉部２２５は、作業者が開け閉めしやすいように、略半円状の扉部貫通孔２２５ａを有する。
【００５２】
また、スプレースタンド１００が風で飛ばされたり、倒れたりしないように、扉部２２５からスプレースタンド本体２００内部に重りを入れることも可能である。
【００５３】
前方側面部２３０は、利用者から見て手前側（ｙ軸正方向側）に配置される側面部である。
【００５４】
本実施形態では、前方側面部２３０の上部先端に台部材４００が接続されている。
【００５５】
前方側面部２３０の下部先端の前方先端２３１には、前方底面部２１２が前方先端２３１で折り曲げ可能に接続されている。
【００５６】
前方側面部２３０の下部には、足踏み部材３００が配置される足踏み部材貫通孔２３２が設けられている。
【００５７】
足踏み部材貫通孔２３２は、上方が丸みを有する略四角形状の貫通孔である。
【００５８】
第１側面部２４０は、前方側面部２３０及び後方側面部２２０の左側であるｘ軸負方向側に配置されており、前方側面部２３０と後方側面部２２０とを接続し、それらの間に配置されている。
【００５９】
第１側面部２４０の下部先端である第１先端２４１には、第１底面部２１３が第１先端２４１で折り曲げ可能に接続されている。
【００６０】
図４に示す通り、第１側面部２４０の第１先端２４１は、前方先端２３１及び後方先端２２１より上方（ｚ軸正方向）に配置される。
【００６１】
つまり、第１先端２４１と、前方先端２３１及び後方先端２２１とは、鉛直方向（ｚ軸方向）で距離ｄ離れている。
【００６２】
第１側面部２４０は、上部に第１可動部材摺動部２２３が設けられている。
【００６３】
具体的には、第１可動部材摺動部２２３は、後方側面部２２０の上部と第１側面部２４０の上部によって構成され、平面視略Ｌ字状である。
【００６４】
第２側面部２５０は、前方側面部２３０及び後方側面部２２０の右側であるｘ軸正方向側に配置されており、前方側面部２３０と後方側面部２２０とに接続され、それらの間に配置されている。
【００６５】
第２側面部２５０と前方側面部２３０とは、接続部２６０によって接続される。
【００６６】
第２側面部２５０の下部先端である第２先端２５１には、第２底面部２１４が第２先端２５１で折り曲げ可能に接続されている。
【００６７】
図４に示す通り、第２側面部２５０の第２先端２５１は、前方先端２３１及び後方先端２２１より上方（ｚ軸正方向）に配置される。
【００６８】
つまり、第２先端２５１と、前方先端２３１及び後方先端２２１とは、鉛直方向（ｚ軸方向）で距離ｄ離れている。
【００６９】
したがって、図６に示すように、第１先端２４１及び第２先端２５１は、前方先端２３１及び後方先端２２１より鉛直方向で距離ｄだけ上方に配置され、隙間２９０が構成される。
【００７０】
言い換えると、隙間２９０は、第１先端２４１及び第２先端２５１と、前方先端２３１及び後方先端２２１と、によって構成される。
【００７１】
第２側面部２５０には、ｘ軸方向中央位置に、台部材４００の一部を挿入するための貫通孔である側方貫通孔２５２が設けられている。
【００７２】
第２側面部２５０は、上部に第２可動部材摺動部２２４が設けられている。
【００７３】
第２可動部材摺動部２２４は、後方側面部２２０の上部と第２側面部２５０の上部によって構成され、平面視略Ｌ字状である。
【００７４】
接続部２６０は、前方側面部２３０の右側（ｘ軸正方向側）に配置されており、前方側面部２３０と、第２側面部２５０とを接続するためのところである。
【００７５】
具体的には、接続部２６０と第２側面部２５０との重なり部分を接続部材２６１によって固定する。
【００７６】
本実施形態では、接続部材２６１はビスネジが用いられているが、接着剤やボルト及びナット、ホッチキス等のようなものであってもよい。
【００７７】
（足踏み部材３００）
図７に示すように、足踏み部材３００は、足踏み部３１０と、足踏み部材挿入部３２０と、を有する。
【００７８】
足踏み部３１０と足踏み部材挿入部３２０との接続部は折り曲げ線が設けられており、利用者は当該接続部で容易に折り曲げることができる。
【００７９】
足踏み部３１０には、第１足踏み部貫通孔３１１と第２足踏み部貫通孔３１２とが設けられている。
【００８０】
第１足踏み部貫通孔３１１は、足踏み部材３００をスプレースタンド本体２００に接続した状態で、第２足踏み部貫通孔３１２より左側（ｘ軸負方向側）に配置されている。
【００８１】
第２足踏み部貫通孔３１２は、足踏み部材３００をスプレースタンド本体２００に接続した状態で、第１足踏み部貫通孔３１１より、右側（ｘ軸正方向側）に配置されている。
【００８２】
第１足踏み部貫通孔３１１及び第２足踏み部貫通孔３１２は、紐部材６００を通すための貫通孔である。
【００８３】
第１足踏み部貫通孔３１１と第２足踏み部貫通孔３１２とは、中心線Ｍを軸として対称な位置に配置されている。
【００８４】
足踏み部材挿入部３２０は、スプレースタンド本体２００と接続する部分である。
【００８５】
具体的には、足踏み部材挿入部３２０は、スプレースタンド本体２００の隙間２９０に前方（ｙ軸正方向側）から挿入される。
【００８６】
隙間２９０の距離ｄは、足踏み部材挿入部３２０の厚み（ｚ軸方向の幅）より大きい。
【００８７】
これにより、接続部材や接着部材を用いることなく、足踏み部材をスプレースタンド本体２００に取り付けることができる。
【００８８】
足踏み部材挿入部３２０の長さＬは、後方底面部２１１を折り畳んだ状態（表側面ファスナー２７０と裏側面ファスナー２８０とを接続した状態）で、後方底面部２１１の先端から前方先端２３１までの距離Ｃより短い。
【００８９】
これにより、足踏み部材挿入部３２０の先端が後方底面部２１１に接触して、足踏み部材挿入部３２０の隙間２９０への挿入が遮られることを防止することができる。
【００９０】
（台部材４００）
図１乃至図３に示すように、台部材４００は、除菌液が入っている容器７００を配置するところであり、本実施形態では、前方側面部２３０の上部（ｚ軸正方向側）に接続されている。
【００９１】
図４に示す通り、台部材４００は、本実施形態では平面視略正方形であり、後方側面部２２０の後方貫通孔２２２に挿入するための後方突起部４１０と、
第２側面部２５０の側方貫通孔２５２に挿入するための側方突起部４２０と、
台部材４００の左側（ｘ軸負方向側）に配置される第１台部材貫通孔４３０と、
第１台部材貫通孔４３０より右側（ｘ軸正方向側）に配置される第２台部材貫通孔４４０と、を含む。
【００９２】
なお、本実施形態では、台部材４００を所定の位置まで曲げ易いようにするため、台部材４００は、第１側面部２４０に挿入するための突起部を有していないが、突起部を有するような構成であってもよい。
【００９３】
この場合、第１側面部２４０にも台部材４００の突起部を挿入するための貫通孔が設けられる。
【００９４】
第１台部材貫通孔４３０と第２台部材貫通孔４４０とは、中心線Ｎを軸として対称な位置に配置されている。
【００９５】
本実施形態では、第１台部材貫通孔４３０及び第２台部材貫通孔４４０は、平面視円状であるが、平面視楕円状又は長孔であってもよい。
【００９６】
また、第１台部材貫通孔４３０及び第２台部材貫通孔４４０は、台部材４００を貫通する溝であってもよい。
【００９７】
また、台部材４００の表面（スプレースタンド１００を組み立てた状態のｚ軸正方向側の面）は、除菌液の容器７００が倒れ難いように滑りにくい素材（摩擦係数の高い素材）が貼られていてもよい。
【００９８】
（可動部材５００）
図１乃至図３に示すように、可動部材５００は、除菌液の入った容器７００のヘッド部７１０を上方から押すものである。
【００９９】
図８に示すように、可動部材５００は、第１可動部材摺動部２２３に挿入する第１可動部材貫通孔５１０と、
第２可動部材摺動部２２４に挿入する第２可動部材貫通孔５２０と、
紐部材６００を挿入する第１紐部材貫通孔５３０及び第２紐部材貫通孔５４０と、を含む。
【０１００】
第１可動部材貫通孔５１０は、第１可動部材摺動部２２３と同様の形状をしており、平面視略Ｌ字状の形状をしている。
【０１０１】
第２可動部材貫通孔５２０は、第２可動部材摺動部２２４と同様の形状をしており、平面視略Ｌ字状の形状をしている。
【０１０２】
第１可動部材貫通孔５１０は、可動部材５００がスプレースタンド２００に接続された状態で、第２可動部材貫通孔５２０より左側（ｘ軸負方向側）に配置されている。
【０１０３】
第２可動部材貫通孔５２０は、可動部材５００がスプレースタンド２００に接続された状態で、第１可動部材貫通孔５１０より右側（ｘ軸正方向側）に配置されている。
【０１０４】
第１可動部材貫通孔５１０及び第２可動部材貫通孔５２０が、第１可動部材摺動部２２３及び第２可動部材摺動部２２４に対して摺動することにより、可動部材５００は上下方向（ｚ軸方向）に移動する。
【０１０５】
第１可動部材貫通孔５１０と第２可動部材貫通孔５２０とは、中心線Ｏを軸として対称な形状である。
【０１０６】
第１紐部材貫通孔５３０及び第２紐部材貫通孔５４０は、紐部材６００を通すところであり、紐部材６００によって可動部材５００が下方に引っ張られることにより、可動部材５００が下方（ｚ軸負方向）に移動し、除菌液が入っている容器７００のヘッド部７１０が下方に押され、容器７００内の除菌液が噴射又は噴霧される。
【０１０７】
第１紐部材貫通孔５３０は、可動部材５００がスプレースタンド２００に接続された状態で、第２紐部材貫通孔５４０より左側（ｘ軸負方向側）に配置されている。
【０１０８】
第２紐部材貫通孔５４０は、可動部材５００がスプレースタンド２００に接続された状態で、第１紐部材貫通孔５３０より右側（ｘ軸正方向側）に配置されている。
【０１０９】
第１紐部材貫通孔５３０と第２紐部材貫通孔５４０とは、中心線Ｏを軸として対称な位置に設けられている。
【０１１０】
（紐部材６００）
図１乃至図３に示すように、紐部材６００は、紐、糸、弾性部材（ゴム）、針金等の紐状のものであり、利用者が足踏み部材３００を踏むことにより、足踏み部材３００に接続された紐部材６００が下方に引っ張られ、可動部材５００が下方に移動する。
【０１１１】
紐部材６００は、足踏み部材３００の第１足踏み部貫通孔３１１及び第２足踏み部貫通孔３１２に通され、
台部材４００の第１台部材貫通孔４３０及び第２台部材貫通孔４４０に通され、
可動部材５００の第１紐部材貫通孔５３０及び第２紐部材貫通孔５４０に通される。
【０１１２】
紐部材６００の両端同士は、任意の位置で結ばれる。結び方は、本結び、たて結び、男結び、固結び、蝶々結び等どのような結び方であってもよい。本実施形態では、紐部材６００同士は、足踏み部３１０の下方で結ばれている。
【０１１３】
除菌液が入れられている容器７００は、ヘッド部７１０を有するものであり、ヘッド部７１０が下方に押されることにより、容器内から除菌液がヘッド部７１０９から噴射又は噴霧される構造のものである。
【０１１４】
除菌液は、利用者の手等の肌を除菌できるものであればどのような液体であってもよいが、除菌効果のあるエタノール等のアルコールと、保湿効果のあるグリセリンが含まれるのが好ましい。アルコールの濃度は特に限定されない。
【０１１５】
また、除菌液は除菌効果を有するものであればよい。例えば、除菌液は次亜塩素酸水、アルカリ電解水であってもよい。また、除菌液はジェル状のものであってもよい。
【０１１６】
図１及び図２に示すように、固定部材７５０は、除菌液の容器７００が倒れたりしないように、また、位置がずれ過ぎないように固定するためのものである。
【０１１７】
具体的には、容器７００内の除菌液が少なくなると、容器７００が倒れやすくなるため、また容器７００の位置がずれると可動部材５００によってヘッド部７１０が押され難くなるため、固定部材７５０は容器７００の位置をある程度固定するものである。
【０１１８】
また、固定部材７５０を紐部材６００及び容器７００に取り付けることにより、容器７００の盗難防止にも効果がある。
【０１１９】
図９に示すように、固定部材７５０は、平面視略長方形であり、中央に容器７００のヘッド部７１０を挿入するためのヘッド部貫通孔７５１と、
左側（ｘ軸負方向側）の紐部材６００に取り付けるための切れ込み及び貫通孔である第１固定部材貫通孔７５２と、
右側（ｘ軸正方向側）の紐部材６００に取り付けるための切れ込み及び貫通孔である第２固定部材貫通孔７５３と、を有する。
【０１２０】
本実施形態では、固定部材７５０は、透明なアクリル板から構成されているが、材質や透明性は特に限定されない。
【０１２１】
図１０は、接続部２６０と第２側面部２５０とを接続した状態のままで、底面部２１０の面ファスナー同士の接着を外し、側面部から台部材４００の突起部（４１０、４２０）を外し、スプレースタンド本体２００を折り畳んだ状態の図である。
【０１２２】
スプレースタンド１００をスプレースタンド本体２００、足踏み部材３００、可動部材５００、紐部材６００に分解し、図１０のようにスプレースタンド本体２００を折り畳むことにより、スプレースタンド１００を使用しないときの置き場所の極小化を図ることができる。
【０１２３】
＜第２実施形態＞
図１１は、可動部材５００がスプレースタンド本体２００の後方側面部２２０に接続されている状態の実施例（第２実施形態）である。第２実施形態では、第１実施形態と同様の内容に関しては、説明を省略又は簡略して説明する。
【０１２４】
第１実施形態では、可動部材５００は、スプレースタンド本体２００の可動部材摺動部（第１可動部材摺動部２２３、第２可動部材摺動部２２４）に挿入する構成であったが、本実施形態では、可動部材である第２可動部材８００が後方側面部２２０の先端と接続されている（一体となっている）構成である。
【０１２５】
つまり、第２実施形態では、後方側面部２２０、第１側面部２４０及び第２側面部２５０は、第１可動部材摺動部２２３及び第２可動部材摺動部２２４を備えない構成である。
【０１２６】
第２可動部材８００は、可動部材５００と同様に、紐部材６００を通す貫通孔である第３紐部材貫通孔８１０及び第４紐部材貫通孔８２０とを有する。
【０１２７】
利用者が足踏み部材３００を踏むことにより、足踏み部材３００に接続されている紐部材６００によって、第２可動部材８００は、後方側面部２２０の接続部分を回転軸として、下方に移動する。
【０１２８】
そして、第２可動部材８００は、除菌液が入っている容器７００のヘッド部７１０を下方に押し、容器７００から除菌液が噴射又は噴霧される。
【０１２９】
＜第３実施形態＞
図１２は、スプレースタンド本体２００が上部と下部に分割されている実施例（第３実施形態）である。第３実施形態では、第１実施形態と同様の内容に関しては、説明を省略又は簡略して説明する。
【０１３０】
本実施形態におけるスプレースタンド１００は、スプレースタンド本体である第２スプレースタンド本体９１０と、
第２スプレースタンド本体９１０の下方に配置されるスプレースタンド設置部材９２０と、
スプレースタンド設置部材９２０内に配置され、第２スプレースタンド本体９１０を載置するスプレースタンド補助部材９３０と、を含む。
【０１３１】
第２スプレースタンド本体９１０は、除菌液が入れられる容器７００が配置される第３底面部９１１と、
利用者から見て容器７００の奥側（ｙ軸負方向側）に配置される第２後方側面部９１２と、
左側（ｘ軸負方向側）に配置される第３側面部９１３と、
第３側面部９１３より右側（ｘ軸正方向側）に配置される第４側面部９１４と、を含む。
【０１３２】
図１３に示すように、第３底面部９１１は、第２後方側面部９１２の下方先端で接続されており、第２後方側面部９１２の下方先端を軸として広げることができる。
【０１３３】
これにより、第２スプレースタンド本体９１０は、図１３に示すように展開することができ、畳むことができる。
【０１３４】
また、第３底面部９１１には、紐部材６００を通すための貫通孔である第１底面部貫通孔９１１ａ及び第２底面部貫通孔９１１ｂと、
第３側面部９１３に接続する第１底面突起部９１１ｃと、
第４側面部９１４に接続する第２底面突起部９１１ｄと、を有する。
【０１３５】
第１底面部貫通孔９１１ａは、容器７００より左側（ｘ軸負方向側）に配置されている。
【０１３６】
第２底面部貫通孔９１１ｂは、容器７００より右側（ｘ軸正方向側）に配置されている。
【０１３７】
本実施形態では、第１底面部貫通孔９１１ａ及び第２底面部貫通孔９１１ｂは、平面視円状であるが、平面視楕円状又は長孔であってもよい。
【０１３８】
また、第１底面部貫通孔９１１ａ及び第２底面部貫通孔９１１ｂは、第３底面部９１１を貫通する溝であってもよい。
【０１３９】
第２後方側面部９１２は、利用者から見て容器７００の奥側（ｙ軸負方向側）に配置され、第１実施形態と同様に、第３側面部９１３と共に可動部材摺動部である第３可動部材摺動部９１５を構成する。
【０１４０】
また、第２後方側面部９１２は、第１実施形態と同様に、第４側面部９１４と共に可動部材摺動部である第４可動部材摺動部９１６を構成する。
【０１４１】
第３側面部９１３は、第１底面突起部９１１ｃを挿入する第３側面貫通孔９１３ａと、
スプレースタンド設置部材９２０に挿入する第１側面突起部９１３ｂと、を有する。
【０１４２】
第４側面部９１４は、第１底面突起部９１１ｄを挿入する第４側面貫通孔９１４ａと、
スプレースタンド設置部材９２０に挿入する第２側面突起部９１４ｂと、を有する。
【０１４３】
第１側面突起部９１３ｂ及び第２側面突起部９１４ｂがスプレースタンド設置部材９２０に挿入されることにより、第２スプレースタンド本体９１０が安定してスプレースタンド補助部材９３０上に載置される。
【０１４４】
可動部材は、可動部材５００と同様であるため説明を省略する。本実施形態では、可動部材５００は、第３可動部材摺動部９１５と第４可動部材摺動部９１６を摺動して、上下移動する。
【０１４５】
スプレースタンド設置部材９２０は、第２スプレースタンド本体９１０の下部に配置されるものであり、下部には足踏み部材３００が配置されている。
【０１４６】
スプレースタンド設置部材９２０の下部の構成は、第１実施形態のスプレースタンド本体２００と同様であるため、説明を省略する。
【０１４７】
また、足踏み部材３００の内容や設置方法等も第１実施形態と同様であるため、説明を省略する。
【０１４８】
スプレースタンド設置部材９２０は、紙の段ボールであってもよい。紙製の段ボールの場合、企業の広告等を表示しやすいという利点がある。
【０１４９】
スプレースタンド設置部材９２０内には、平面視略三角形のスプレースタンド補助部材９３０が挿入されている。
【０１５０】
スプレースタンド補助部材９３０は、スプレースタンド設置部材９２０内に挿入され、第２スプレースタンド本体９１０が載置される。
【０１５１】
スプレースタンド補助部材９３０の下部は、図１２に示すように、足踏み部３１０が接触しないような形状となっている。
【０１５２】
具体的には、スプレースタンド補助部材９３０の前方（ｙ軸正方向側）の下部が一部カットされ、利用者が足踏み部３１０を踏んだ場合であっても、足踏み部３１０がスプレースタンド補助部材９３０に接触しないようになっている。
【０１５３】
図１４に示すように、スプレースタンド補助部材９３０は、第１補助側面部９３１と、第２補助側面部９３２と、第３補助側面部９３３と、補助接続部９３４と、を有する。
【０１５４】
第１補助側面部９３１は、補助接続部９３４と接続するための上接続部９３１ａ及び下接続部９３１ｂと、
足踏み部３１０が接触しないための第１カット部９３１ｃと、を有する。
【０１５５】
第２補助側面部９３２は、足踏み部３１０が接触しないための第２カット部９３２ｃを有する。
【０１５６】
第２補助側面部９３２は、第１補助側面部９３１と第３補助側面部９３３との間に配置される。
【０１５７】
補助接続部９３４は、上接続部９３１ａを挿入するための上貫通孔９３４ａと、下接続部９３１ｂを挿入するための下貫通孔９３４ｂと、を有する。
【０１５８】
第３補助側面部９３３は、第２補助側面部９３２と補助接続部９３４との間に配置される。
【０１５９】
図１２に示すように、第１補助側面部９３１と第２補助側面部９３２とが、組み立てた状態では、前方側（ｙ軸正方向側）に配置される。
【０１６０】
このような構成であっても、スプレースタンド設置部材９２０から取り出されたスプレースタンド補助部材９３０は折り畳むことができる。
【０１６１】
本発明は、その趣旨を逸脱しない範囲で種々の改良、修正、又は変形を加えた態様でも実施できる。
【符号の説明】
【０１６２】
１００…スプレースタンド
２００…スプレースタンド本体
２１０…底面部
２２０…後方側面部
２２３…第１可動部材摺動部
２２４…第２可動部材摺動部
２３０…前方側面部
２４０…第１側面部
２５０…第２側面部
２６０…接続部
２９０…隙間
３００…足踏み部材
３１０…足踏み部
３１１…第１足踏み部貫通孔
３１２…第２足踏み部貫通孔
３２０…足踏み部材挿入部
４００…台部材
４３０…第１台部材貫通孔
４４０…第２台部材貫通孔
５００…可動部材
６００…紐部材
７００…容器
７５０…固定部材
８００…第２可動部材
９１０…第２スプレースタンド本体
９２０…スプレースタンド設置部材
９３０…スプレースタンド補助部材
【図１】
2020182852.tif 000003
【図２】
2020182852.tif 000004
【図３】
2020182852.tif 000005
【図４】
2020182852.tif 000006
【図５】
2020182852.tif 000007
【図６】
2020182852.tif 000008
【図７】
2020182852.tif 000009
【図８】
2020182852.tif 000010
【図９】
2020182852.tif 000011
【図１０】
2020182852.tif 000012
【図１１】
2020182852.tif 000013
【図１２】
2020182852.tif 000014
【図１３】
2020182852.tif 000015
【図１４】
2020182852.tif 000016